(57)【要約】      （修正有）【課題】ペーパーロールからのペーパーの送り出しと切断を電動手段によって自動的に行うようにしたペーパーホルダー装置において、構造の簡略化及び低コスト化を実現する。【解決手段】ペーパーロール支持部１５と、該ペーパーロールＰからペーパーＰａを送り出すペーパー送出部２０と、ペーパー送出部２０から送り出されるペーパーＰａを折り畳んで保持するペーパー折畳保持部と、ペーパー送出部２０とペーパー折畳保持部の間でペーパーＰａを切断するペーパー切断部４０とを備えたペーパーホルダー装置において、ペーパー送出部２０とペーパー切断部４０を、単一の駆動ユニットによって択一的に駆動させる。【選択図】図６
2012065957.tif 000002
【特許請求の範囲】
【請求項１】
ペーパーロール（Ｐ）を巻戻し可能に支持するペーパーロール支持部（１５）と、該ペーパーロール（Ｐ）からペーパー（Ｐａ）を巻戻して送り出すペーパー送出部（２０）と、上記ペーパー送出部（２０）から送り出されるペーパー（Ｐａ）を順次ジグザグ状に折り畳んでこれを折畳ペーパー（Ｐｃ）として保持するペーパー折畳保持部（３０）と、上記ペーパー送出部（２０）と上記ペーパー折畳保持部（３０）の間で上記ペーパー（Ｐａ）を切断するペーパー切断部（４０）とを備えてなるペーパーホルダー装置であって、
上記ペーパー送出部（２０）と上記ペーパー切断部（４０）を、単一の駆動ユニット（６０）によって択一的に駆動することを特徴とするペーパーホルダー装置。
【請求項２】
請求項１において、
上記駆動ユニット（６０）は、可逆回転するモータ（６２）と、該モータ（６２）の駆動力を受けて正転方向と逆転方向へ選択的に回転駆動され且つ上記駆動力によって第１の位置と第２の位置の間で揺動変位する駆動ギヤ（６５）を備え、
上記駆動ギヤ（６５）は、上記第１の位置に設定された状態では上記ペーパー送出部（２０）に備えられた送出駆動ギヤ（５５）に噛合して該ペーパー送出部（２０）を回転駆動する一方、上記第２の位置に設定された状態では上記ペーパー切断部（４０）に備えられた切断駆動ギヤ（５６）に噛合して該ペーパー切断部（４０）を回転駆動するように構成されたことを特徴とするペーパーホルダー装置。
【請求項３】
請求項１において、
上記ペーパー切断部（４０）は、上記ペーパー送出部（２０）によって送り出されるペーパー（Ｐａ）の一方の面側に該ペーパー（Ｐａ）の幅方向に沿って近接状態で配置されるとともに該ペーパー（Ｐａ）に接近する方向へ弾圧付勢された固定刃（５２）と、上記ペーパー（Ｐａ）を挟んで上記固定刃（５２）に対向するように配置された回転軸（４７）にその一端側から他端側に向けて次第に回転方向後方側へ変位するように傾斜状に取付けられた回転刃（４８）を備え、
上記回転軸（４７）の回転によって上記回転刃（４８）がその一端側から他端側へ向けて連続的に上記固定刃（５２）と弾圧接触することで上記ペーパー（Ｐａ）を切断するように構成されたことを特徴とするペーパーホルダー装置。
【請求項４】
請求項１において、
上記ペーパー折畳保持部（３０）の近傍への人の手の接近の有無を検知する第１センサ（７１）と、該ペーパー折畳保持部（３０）における折畳ペーパー（Ｐｃ）の有無を検知する第２センサ（７２）を備え、
上記駆動ユニット（６０）は、上記第１センサ（７１）が人の手の接近を検知し且つ上記第２センサ（７２）が折畳ペーパー（Ｐｃ）の不存在を検知したときにその作動が開始される構成であることを特徴とするペーパーホルダー装置。
【発明の詳細な説明】
【技術分野】
【０００１】
本願発明は、トイレットペーパーをロール状に巻回してなるペーパーロールを保持し、該ペーパーロールからのペーパーの送り出し、折畳み及び切断を、使用者の要求に応じて自動的に行い得るようにしたペーパーホルダー装置に関するものである。
【背景技術】
【０００２】
高齢化社会の到来に伴う福祉意識の高まりを背景に、高齢者の日常的な活動を介助支援するための技術が種々提案されており、その一つとして、トイレットペーパー用のペーパーホルダー装置においては、ペーパーの取り出しを容易ならしめるための技術が提案されている（特許文献１〜２参照）。
【０００３】
特許文献１に示されるペーパーホルダー装置は、芯棒に支持されたロール紙から紙を一対の送りローラによって挟圧しながら引き出して順次折り畳むとともに、この折り畳み部分と上記挟圧部分の中間に配置したカッターで紙を切断するように構成したものである。この場合、駆動源として、上記送りローラを駆動するモータと、上記カッターを駆動するモータをそれぞれ別個に設けている（２モータ方式）。また、上記カッターは、固定配置された固定側カッターと、クランク機構によって水平方向に往復動される可動側カッターで構成されており、該可動側カッターの揺動機構は複雑なものとなっている。
【０００４】
特許文献２に示されるペーパーホルダー装置も、上記特許文献１と同様に、ロール軸に支持されたロール紙から紙を一対の送りローラによって挟圧しながら引き出して順次折り畳むとともに、この折り畳み部分と上記挟圧部分の中間に配置したカッターで紙を切断するように構成したものである。そして、駆動源として、上記送りローラを駆動するモータと、上記カッターを駆動するモータをそれぞれ別個に設けている（２モータ方式）。また、上記カッターは、固定刃と該固定刃に接離するように揺動する可動刃で構成されており、該可動刃の揺動機構は複雑なものとなっている。
【先行技術文献】
【特許文献】
【０００５】
【特許文献１】特開２０００−２８７８７２号公報
【特許文献２】特開２００３−７２９９８号公報
【発明の概要】
【発明が解決しようとする課題】
【０００６】
これら特許文献１、２にそれぞれ示されたペーパーホルダー装置では、ロール紙から紙を引き出し、これを折り畳み、さらにこの折り畳まれた紙を切断してロール紙から分離させるという一連の動作が自動的に行われるため、例えば、手でロール紙から紙を引き出して折り畳み、この折畳紙をロール紙から引きちぎって使用するように構成された従来一般的なペーパーホルダー装置に比して、紙の取り出しが容易であり、特に高齢者にとっては好ましいものといえる。
【０００７】
しかし、その反面、これら特許文献１、２にそれぞれ示されたペーパーホルダー装置では、駆動源として、紙送り用のモータと紙切断用のモータをそれぞれ個別に備えた２モータ方式の構成であることから、これら各モータの配置スペースが大きく且つその駆動機構も複雑となり、設置場所の関係からコンパクト性が要求されるペーパーホルダー装置としては好適とは言えず、またモータの設置数が多い分だけコストアップになるという問題もあった。
【０００８】
そこで本願発明は、ペーパーロールからのペーパーの送り出しと、送り出されたペーパーの切断を電動で自動的に行うようにしたペーパーホルダー装置において、構造の簡略化及び低コスト化を実現することを主たる目的としてなされたものである。
【課題を解決するための手段】
【０００９】
本願発明ではかかる課題を解決するための具体的手段として次のような構成を採用している。
【００１０】
本願の第１の発明では、ペーパーロールＰを巻戻し可能に支持するペーパーロール支持部１５と、該ペーパーロールＰからペーパーＰａを巻戻して送り出すペーパー送出部２０と、上記ペーパー送出部２０から送り出されるペーパーＰａを順次ジグザグ状に折り畳んでこれを折畳ペーパーＰｃとして保持するペーパー折畳保持部３０と、上記ペーパー送出部２０と上記ペーパー折畳保持部３０の間で上記ペーパーＰａを切断するペーパー切断部４０とを備えてなるペーパーホルダー装置において、上記ペーパー送出部２０と上記ペーパー切断部４０を、単一の駆動ユニット６０によって択一的に駆動することを特徴としている。
【００１１】
本願の第２の発明では、上記第１の発明に係るペーパーホルダー装置において、上記駆動ユニット６が、可逆回転するモータ６２と、該モータ６２の駆動力を受けて正転方向と逆転方向へ選択的に回転駆動され且つ上記駆動力によって第１の位置と第２の位置の間で揺動変位する駆動ギヤ６５を備え、上記駆動ギヤ６５が、上記第１の位置に設定された状態では上記ペーパー送出部２０に備えられた送出駆動ギヤ５５に噛合して該ペーパー送出部２０を回転駆動する一方、上記第２の位置に設定された状態では上記ペーパー切断部４０に備えられた切断駆動ギヤ５６に噛合して該ペーパー切断部４０を回転駆動するように構成したことを特徴としている。
【００１２】
本願の第３の発明では、上記第１の発明に係るペーパーホルダー装置において、上記ペーパー切断部４０が、上記ペーパー送出部２０によって送り出されるペーパーＰａの一方の面側に該ペーパーＰａの幅方向に沿って近接状態で配置されるとともに該ペーパーＰａに接近する方向へ弾圧付勢された固定刃５２と、上記ペーパーＰａを挟んで上記固定刃５２に対向するように配置された回転軸４７にその一端側から他端側に向けて次第に回転方向後方側へ変位するように傾斜状に取付けられた回転刃４８を備え、上記回転軸４７の回転によって上記回転刃４８がその一端側から他端側へ向けて連続的に上記固定刃５２と弾圧接触することで上記ペーパーＰａを切断するように構成したことを特徴としている。
【００１３】
本願の第４の発明では、上記第１の発明に係るペーパーホルダー装置において、上記ペーパー折畳保持部３０の近傍への人の手の接近の有無を検知する第１センサ７１と、該ペーパー折畳保持部３０における折畳ペーパーＰｃの有無を検知する第２センサ７２を備え、上記駆動ユニット６０を、上記第１センサ７１が人の手の接近を検知し且つ上記第２センサ７２が折畳ペーパーＰｃの不存在を検知したときにその作動が開始されるように構成したことを特徴としている。
【発明の効果】
【００１４】
本願発明では次のような効果が得られる。
【００１５】
（ａ）本願の第１の発明に係るペーパーホルダー装置によれば、ペーパーロールＰを巻戻し可能に支持するペーパーロール支持部１５と、該ペーパーロールＰからペーパーＰａを巻戻して送り出すペーパー送出部２０と、上記ペーパー送出部２０から送り出されるペーパーＰａを順次ジグザグ状に折り畳んでこれを折畳ペーパーＰｃとして保持するペーパー折畳保持部３０と、上記ペーパー送出部２０と上記ペーパー折畳保持部３０の間で上記ペーパーＰａを切断するペーパー切断部４０とを備えたものにおいて、上記ペーパー送出部２０と上記ペーパー切断部４０を、単一の駆動ユニット６０によって択一的に駆動するように構成されているので、上掲各特許文献に示されるような２モータ式の駆動機構を備えた従来のペーパーホルダー装置に比して、モータの設置数の減少によって外観形体のコンパクト化及び低コスト化が図られるとともに、駆動機構の構造の簡略化が促進される。
【００１６】
（ｂ）  本願の第２の発明に係るペーパーホルダー装置によれば、上記（ａ）に記載の効果に加えて以下のような特有の効果が得られる。即ち、この発明のペーパーホルダー装置では、上記駆動ユニット６を、可逆回転するモータ６２と、該モータ６２の駆動力を受けて正転方向と逆転方向へ選択的に回転駆動され且つ上記駆動力によって第１の位置と第２の位置の間で揺動変位する駆動ギヤ６５で構成し、上記駆動ギヤ６５が、上記第１の位置に設定された状態では上記ペーパー送出部２０に備えられた送出駆動ギヤ５５に噛合して該ペーパー送出部２０を回転駆動する一方、上記第２の位置に設定された状態では上記ペーパー切断部４０に備えられた切断駆動ギヤ５６に噛合して該ペーパー切断部４０を回転駆動するように構成しているので、上記モータ６２による駆動対象の変更が該モータ６２の回転方向の切り換えのみによって自動的に行われ、例えば、ペーパー送出部２０とペーパー切断部４０をそれぞれ個別のモータによって駆動し、これら各モータの作動制御をそれぞれ個別に行う構成の場合に比して、その制御系が簡略化され、低コスト化が促進されるとともに、駆動対象の変更に伴う作動上の信頼性が向上することになる。
【００１７】
（ｃ）  本願の第３の発明に係るペーパーホルダー装置によれば、上記（ａ）に記載の効果に加えて以下のような特有の効果が得られる。即ち、この発明のペーパーホルダー装置では、上記第１の発明に係るペーパーホルダー装置において、上記ペーパー切断部４０が、上記ペーパー送出部２０によって送り出されるペーパーＰａの一方の面側に該ペーパーＰａの幅方向に沿って近接状態で配置されるとともに該ペーパーＰａに接近する方向へ弾圧付勢された固定刃５２と、上記ペーパーＰａを挟んで上記固定刃５２に対向するように配置された回転軸４７にその一端側から他端側に向けて次第に回転方向後方側へ変位するように傾斜状に取付けられた回転刃４８を備え、上記回転軸４７の回転によって上記回転刃４８がその一端側から他端側へ向けて連続的に上記固定刃５２と弾圧接触することで上記ペーパーＰａを切断するように構成しているので、例えば、上掲各特許文献１，２のようにモータと可動刃の間にクランク機構とか揺動機構を配置する構成の場合に比して、上記回転刃４８の駆動系の構造が簡略化され、それだけ低コスト化が図れる。
【００１８】
また、上記固定刃５２が、上記ペーパーＰａに接近する方向へ弾圧付勢された構成であることから、例えば、回転刃４８と固定刃５２の間隔あるいはこれら相互の接触圧が、これら両者の組立誤差とか刃先の摩滅等の原因によって設計値からズレたような場合であっても、上記固定刃５２が弾性変位することで該ズレが吸収緩和され、常時適正な間隔あるいは適正な接触圧に維持され、その結果、上記ペーパーＰａの切断に際しての作動上の信頼性が向上することになる。
【００１９】
（ｄ）  本願の第４の発明に係るペーパーホルダー装置によれば、上記（ａ）に記載の効果に加えて以下のような特有の効果が得られる。即ち、この発明のペーパーホルダー装置では、上記ペーパー折畳保持部３０の近傍への人の手の接近の有無を検知する第１センサ７１と、該ペーパー折畳保持部３０における折畳ペーパーＰｃの有無を検知する第２センサ７２を備え、上記駆動ユニット６０を、上記第１センサ７１が人の手の接近を検知し且つ上記第２センサ７２が折畳ペーパーＰｃの不存在を検知したときにその作動が開始されるように構成しているので、例えば、上記ペーパー折畳保持部３０に上記折畳ペーパーＰｃが存在しており、折畳ペーパーＰｃをさらに作成する必要性がないにも拘らず、上記第１センサ７１の検出信号を受けて折畳ペーパーＰｃの作成動作が開始されるというような事態の発生が未然に且つ確実に回避され、ペーパーホルダー装置１の使用上における利便性及び信頼性が向上する。
【図面の簡単な説明】
【００２０】
【図１】本願発明の実施の形態に係るペーパーホルダー装置の使用状態における外観斜視図である。
【図２】図１に示したペーパーホルダー装置において開閉カバーを開いた状態の外観斜視図である。
【図３】図１に示したペーパーホルダー装置において、一方の側カバーを取り除いた状態の外観斜視図である。
【図４】図１に示したペーパーホルダー装置において、ホルダー本体部の一方の側壁部の図示を省略してその内部構造を現した斜視図である。
【図５】図４に示したペーパーホルダー装置において、開閉カバーを開いた状態の斜視図である。
【図６】図１のＶＩ−ＶＩ断面図である。
【図７】図５に示した回転刃ユニットの構造を示す斜視図である。
【図８】図５に示した固定刃ユニットの構造を示す斜視図である。
【図９】図３に示した駆動ユニットの全体構造を示す斜視図である。
【図１０】図９に示した駆動ユニットの分解斜視図である。
【図１１】図９に示した駆動ユニットの、ペーパー送出部駆動時の作動説明図である。
【図１２】図９に示した駆動ユニットの、ペーパー切断部駆動時の作動説明図である。
【図１３】モータの制御系の構成を示すブロック図である。
【図１４】ペーパーホルダー装置の使用時における作動制御のフローチャート図である。
【発明を実施するための形態】
【００２１】
以下、本願発明を好適な実施形態に基づいて具体的に説明する。
【００２２】
図１及び図２は、本願発明の実施形態に係るペーパーホルダー装置１を示している。このペーパーホルダー装置１は、トイレの壁面に取付けられ、その内部にトイレットペーパーを巻回して成るペーパーロールＰを保持し、使用者の必要に応じて該ペーパーロールＰからペーパーＰａを所定長さだけ送り出し、これをジグザグ状に折り畳んで折畳ペーパーＰｃを作るとともに、この折畳ペーパーＰｃを上記ペーパーロールＰ寄り位置で切り離して使用に供するものであって、上記ペーパーＰａの送り出しから切断切り離しまでの一連の動作が自動的に行われるように構成されている。係る自動操作によって、使用者が手でペーパーＰａを引き出し、これを折り畳んで切り取る、というような手間が省け、特に高齢者にとっては好適なものとなる。
【００２３】
上記ペーパーホルダー装置１は、ホルダー本体部２と該ホルダー本体部２の下面側に固定ブラッケット２９を介して連結固定された付設部３を備えて構成される。
【００２４】
Ａ：ホルダー本体部２の構成
Ａ−１：ホルダー本体部２
上記ホルダー本体部２は、図１〜図６に示すように、左右一対の側壁部５，６と奥壁部７でなるケース体４を備え、これらの内側の内部スペースＳには、後述するペーパーロール支持部１５、ペーパー送出部２０、ペーパー折畳保持部３０、ペーパー切断部４０が収納配置される。
【００２５】
また、上記ケース体４の奥壁部７の上端には、前面部１０ａと上面部１０ｂとでなる湾曲板状の開閉カバー１０の一端が支点軸１１によって枢支され、該開閉カバー１０によって上記ケース体４の内部スペースＳが開閉蓋されるようになっている。上記内部スペースＳへの上記ペーパーロールＰの装脱は、上記開閉カバー１０を開いて行われる（図２参照）。
【００２６】
さらに、上記ケース体４の左右の側壁部５，６の外側には、それぞれ側カバー８，９が装着され、特に上記側壁部６と上記側カバー９で囲まれたスペースは、後述する駆動ユニット６０の配置スペースとして利用される（図３参照）。
【００２７】
Ａ−２：ペーパーロール支持部１５
上記ペーパーロール支持部１５は、図４〜図６に示すように、上記内部スペースＳの下端部分において上記左右一対の側壁部５，６間に跨って平行配置された前後一対の支持ローラ１６，１６と、上記奥壁部７の高さ方向中間部と奥側の支持ローラ１６の近傍との間に配置された湾曲板状のガイド板１７と、手前側の支持ローラ１６寄りに配置された後述する回転刃ユニット４１に設けられた湾曲板状のガイド板４４によって構成される。
【００２８】
上記ペーパーロールＰは、図６に示すように、上記一対の支持ローラ１６，１６間に跨るようにその上面側に載置されることで回転可能（即ち、ペーパーＰａの送り出しが可能）とされるとともに、該各支持ローラ１６，１６よりも奥側に位置する上記ガイド板１７と手前該に位置する上記ガイド板４４によって、前後方向への位置ズレが規制される。
【００２９】
即ち、このペーパーロール支持部１５は、上記ペーパーロールＰに芯棒を通すことなくフリー状態で保持し、その位置ズレは上記各ガイド板１７、４４で行うようにしたので、該ペーパーロールＰの着脱に際して芯棒の着脱作業が不要であり、該作業を容易且つ迅速に行うことができる。
【００３０】
尚、上記ガイド板１７とガイド板４４による上記ペーパーロールＰの径方向への位置ズレの規制作用は、該ペーパーロールＰの径が大きいとき、即ち、上記ペーパーロールＰの上記各支持ローラ１６，１６間の隙間への落ち込み量が少なく、該各支持ローラ１６，１６自体による位置ズレの規制作用が小さいときに有効である。上記ペーパーロールＰの径が小さくなると、上記ペーパーロールＰの上記各支持ローラ１６，１６間の隙間への落ち込み量が増加するため、該ペーパーロールＰの位置ズレの規制作用は専ら上記各支持ローラ１６，１６自体によって行われることになる。
【００３１】
Ａ−３：ペーパー送出部２０
上記ペーパー送出部２０は、図５に示すように、上記ペーパーロール支持部１５に支持された上記ペーパーロールＰからペーパーＰａを引き出してこれを上記内部スペースＳの前面側へ送り出すためのものであって、送出ローラ２１と押えローラ２２を備えて構成される。
【００３２】
上記送出ローラ２１は、その表面をラバー等からなる高摩擦係数面としたローラーであって、上記ケース体４の前端上部において上記左右一対の側壁部５，６間に跨って回転可能に取付けられている。そして、この送出ローラ２１の一端に設けられたローラ回転軸２３は、上記側壁部６を貫通して該側壁部６の外面側まで延出され、この延出端には送出駆動ギヤ５５が取付けられている（図３参照）。また、上記送出ローラ２１は、上記送出駆動ギヤ５５が、これに噛合する後述する駆動ユニット６０の駆動ギヤ６５によって駆動されることで、矢印ａ方向（図５参照）へ回転される。
【００３３】
上記押えローラ２２は、上記送出ローラ２１に巻きかけられたペーパーＰａをその上方から上記送出ローラ２１側へ押し付けて、該送出ローラ２１と協働してペーパーＰａを送り出させるものであって、上記開閉カバー１０の前面部１０ａと上面部１０ｂのコーナー部分の内側で且つ開閉カバー１０の閉蓋状態において上記送出ローラ２１に対応する部位に、上記送出ローラ２１と平行となるように該開閉カバー１０の幅方向両側に位置する側部リブ１２，１２に跨って回転自在に取付けられている。尚、この押えローラ２２は、図示しないバネによって、上記開閉カバー１０の内面から離間する方向（換言すれば、上記送出ローラ２１に接近する方向に付勢され、該送出ローラ２１との間に適正な押圧力を発生させるようになっている。
【００３４】
従って、上記開閉カバー１０を開けた状態で、上記ペーパーロール支持部１５に保持された上記ペーパーロールＰからペーパーＰａを引き出し、これを上記送出ローラ２１の上側を通して下方へ延出させ、この状態で上記開閉カバー１０を閉じると、自動的に上記ペーパーＰａが上記送出ローラ２１と上記押えローラ２２の間に挟圧把持される。この状態で、上記送出ローラ２１が回転されると、上記ペーパーＰａは該送出ローラ２１の回転によって上記送出ローラ２１から下方側へ順次送り出されることになる。
【００３５】
尚、この場合、上記送出ローラ２１及び押えローラ２２は、平坦な外周面をもつ直棒状に形成する必要はなく、要は摩擦力によって上記ペーパーＰａを送り出せれば良く、例えば、上記送出ローラ２１及び／又は上記押えローラ２２にゴム製のＯリングを取付けて、上記ペーパーＰａに対して局部的に摩擦力を作用させることもできる。
Ａ−４：ペーパー切断部４０
上記ペーパー切断部４０は、図４〜図６に示すように、上記送出ローラ２１の下方側に配置された回転刃ユニット４１と、上記開閉カバー１０の上記押えローラ２２の下方側に配置された固定刃ユニット４２を備えて構成され、上記開閉カバー１０を閉じた状態では、回転刃ユニット４１と固定刃ユニット４２が平行状態で接触するように、これらの取付位置が相対的に設定されている。
【００３６】
上記回転刃ユニット４１は、図７に示すように、刃物保持部４３と回転軸４７と回転刃４８を備えて構成される。
【００３７】
上記刃物保持部４３は、上記ケース体４の各側壁部５，６間に跨って配置され且つ固定される横長の箱状体であって、上記ペーパーロール支持部１５の一部を構成する湾曲板状のガイド板４４と、該ガイド板４４の背面側に突設されて該ガイド板４４の長手方向に延びる上下一対のフランジ板４５、４５と、該各フランジ板４５、４５の両端部に設けられた側板４６，４６を備える。
【００３８】
上記刃物保持部４３の内部には、回転軸４７が、その軸端４７ａを上記側板４６から外側へ延出させた状態で取付けられるとともに、上記回転軸４７の外周面上には、帯板状の形体をもつ回転刃４８が、該回転軸４７の一端側から他端側に向けて次第に該回転軸４７の回転方向後方側へ変位するように傾斜状に取付けられている。そして、上記刃物保持部４３を上記ケース体４側に組み付けた状態では、図３に示すように、上記回転軸４７の軸端４７ａが上記側壁部６を貫通してその外面側まで延出され、この延出端には切断駆動ギヤ５６が取付けられている。
【００３９】
そして、上記回転軸４７は、上記切断駆動ギヤ５６がこれに噛合する後述する駆動ユニット６０の駆動ギヤ６５によって駆動されることで、矢印ｂ方向（図７参照）へ回転される。
【００４０】
尚、上記回転軸４７は、その回転停止状態では上記回転刃４８が上記刃物保持部４３の奥側へ対向し、回転時にのみ上記回転刃４８が上記刃物保持部４３の手前側へ露出するように、その回転停止位置が設定される。これは、ペーパーホルダー装置１の使用に際しての準備作業において、上記ペーパーＰａを上記回転刃ユニット４１の手前側を通して下方へ引き出す際に、人の手が上記回転刃４８に触れるのを回避する趣旨である。
【００４１】
上記固定刃ユニット４２は、図８に示すように、横長箱状の刃物保持部４９に帯板状の固定刃５２を取付けて構成され、該刃物保持部４９に設けられた固定部５０を上記開閉カバー１０の前面部１０ａの内面側に締結固定することで、該開閉カバー１０に取付けられる。この場合、上記固定刃５２は、上記刃物保持部４９に対して固定されるのではなく、該固定刃５２の両端に設けた支持軸５３を中心としてその厚さ方向（矢印ｅ−ｆ方向）に揺動変位可能とされているとともに、図示しないバネによって上記固定部５０から離間する方向（矢印方向ｅ方向）に押圧付勢されている。
【００４２】
そして、上記回転刃ユニット４１と上記固定刃ユニット４２は、図４及び図６に示すように、上記開閉カバー１０が閉じられた状態では、前後方向に対向し、該回転刃ユニット４１の上記回転刃４８と上記固定刃ユニット４２の固定刃５２は、上記回転軸４７の回転に伴って当接し、これら両者間で上記ペーパーＰａを切断するように作用する。
【００４３】
この場合、上記回転刃４８が上記回転軸４７に対して、該回転軸４７の一端側から他端側に向けて次第にその回転方向後方側へ変位するように傾斜状に取付けられていることから、該回転刃４８と上記固定刃５２はその全域が同時に当接するのではなく、該固定刃５２の一端側から他端側へ向けて順次当接点が移動するような形態で当接する。この結果、上記ペーパーＰａに対する上記回転刃４８と上固定刃５２のシヤー角が小さくなり、該ペーパーＰａはスムーズに且つ的確に切断されることになる。
【００４４】
また、上記固定刃５２が、図８の矢印ｅ方向（即ち、回転刃４８と固定刃５２の間に挿通される上記ペーパーＰａに接近する方向（図６参照））へ弾圧付勢された構成であることから、例えば、回転刃４８と固定刃５２の間隔あるいはこれら相互の接触圧が、これら両者の組立誤差とか刃先の摩滅等の原因によって設計値からズレたような場合であっても、上記固定刃５２が弾性変位することで該ズレが吸収緩和され、常時適正な間隔あるいは適正な接触圧に維持されることになる。
Ａ−５：駆動ユニット６０
駆動ユニット６０は、上記ペーパー送出部２０と上記ペーパー切断部４０を択一的に駆動するものであって、図３に示すように、上記ケース体４の一方の側壁部６の外面側に配置される。
【００４５】
上記駆動ユニット６０は、図９及び図１０に示すように、上記側壁部６に締結固定される固定ブラケット６１に、ウォームギヤ６３を備えた可逆回転式のモータ６２と、該ウォームギヤ６３に噛合するウォームホイール６４を取付けるとともに、該ウォームホイール６４の支軸６８に揺動自在に揺動アーム６６を枢支し、さらにこの揺動アーム６６の先端側に支軸６９を介して駆動ギヤ６５を取付け、該駆動ギヤ６５と上記ウォームホイール６４をＯリング６７によって連動連結して構成される。また、上記支軸６９の端部を上記固定ブラケット６１に設けたガイド孔７３に係入させており、該支軸６９と上記ガイド孔７３の端部との係合によって、上記揺動アーム６６の揺動範囲が規制される。
【００４６】
そして、この駆動ユニット６０においては、上記モータ６２が正転するときには、その回転力が上記ウォームギヤ６３から上記ウォームホイール６４に伝達され、さらに該ウォームホイール６４の回転が上記Ｏリング６７を介して上記駆動ギヤ６５に伝達され、これによって該駆動ギヤ６５が矢印ｎ方向へ回転駆動される。この際、上記駆動ギヤ６５には、上記Ｏリング６７を介して上記支軸６８を回転中心とする回転力が作用するため、該駆動ギヤ６５は上記揺動アーム６６と一体的に矢印ｈ方向へ回動することになる。このときの上記駆動ギヤ６５の位置を「第１の位置」という。
【００４７】
逆に、上記モータ６２が逆転するときには、その回転力が上記ウォームギヤ６３から上記ウォームホイール６４に伝達され、さらに該ウォームホイール６４の回転が上記Ｏリング６７を介して上記駆動ギヤ６５に伝達され、これによって該駆動ギヤ６５が矢印ｍ方向へ回転駆動される。この際、上記駆動ギヤ６５には、上記Ｏリング６７を介して上記支軸６８を回転中心とする回転力が作用するため、該駆動ギヤ６５は上記揺動アーム６６と一体的に矢印ｇ方向へ回動することになる。このときの上記駆動ギヤ６５の位置を「第２の位置」という。
【００４８】
このような上記駆動ユニット６０の駆動特性を利用して、上記ペーパー送出部２０と上記ペーパー切断部４０を単一のモータ６２によって択一的に駆動するようにしている。即ち、この実施形態では、図３及び図１１、図１２に示すように、上記ケース体４の上記側壁部６上に配置された上記ペーパー送出部２０側の送出駆動ギヤ５５と、上記ペーパー切断部４０側の切断駆動ギヤ５６のほかに、大径ギヤ５７ａと上記切断駆動ギヤ５６に噛合する小径ギヤ５７ｂを備えた中間ギヤ５７を設けている。
【００４９】
そして、上記駆動ギヤ６５が第１の位置に設定された状態では、図１１に示すように、該駆動ギヤ６５は上記送出駆動ギヤ５５に噛合して、該送出駆動ギヤ５５を矢印ｐ方向は回動させる。一方、上記駆動ギヤ６５が第２の位置に設定された状態では、図１２に示すように、該駆動ギヤ６５は上記中間ギヤ５７を介して上記送出駆動ギヤ５５に噛合して、該送出駆動ギヤ５５を矢印ｑ方向へ回動させる。
Ｂ：付設部３の構成
上記付設部３は、上記ホルダー本体部２の下面側に装着されて、ペーパー折畳保持部３０を構成するものであって、図１〜図５に示すように、左右一対の側壁３１，３１とこれら相互間に跨る底壁３２と、該底壁３２の前端側において立ち上がる前規制壁３４を一体的に形成するとともに、上記底壁３２の奥側には板状体でなる後規制壁３５を、その上端を後方側へ傾倒させた傾斜状態で配置して構成される。
【００５０】
上記前規制壁３４と上記後規制壁３５は、上記ペーパー送出部２０側から上記底壁３２側へ順次降下する上記ペーパーＰａと当接することで、該ペーパーＰａの振れ幅を規制してこれをジグザク状に折り畳んで折畳ペーパーＰｃ（図２、図３参照）を形成させる如く作用するものであって、これら前規制壁３４と後規制壁３５の対向間隔寸法によって上記折畳ペーパーＰｃの折り畳み幅が規定される。このため、この実施形態では、図５に示すように、上記底壁３２の奥行き方向における上記後規制壁３５の配置位置を多段階に調整可能とし、これによって上記折畳ペーパーＰｃの折り畳み幅を変更できるようにしている。具体的には、上記左右一対の側壁３１，３１の内面側に、後傾状態で上下に並ぶ一対の突起７４，７５を、上記底壁３２の奥行き方向に所定間隔をもって多段に設け、これら各段間の何れかに上記後規制壁３５を選択的に係入させることで、該後規制壁３５の装着位置を変更可能としている。
【００５１】
また、上記底壁３２とこれに連続する上記前規制壁３４には、該前規制壁３４から上記底壁３２の奥側へ向けて切れ込む切欠開口状のペーパー取出部３３が設けられている。
【００５２】
尚、上記底壁３２上において形成された上記折畳ペーパーＰｃは、上記ペーパー送出部２０の下側位置に配置された上記ペーパー切断部４０によって上記ペーパーＰａが切断されることで上記ペーパーロールＰ側から切り離されて、使用可能な状態とされる。
Ｃ：ペーパーホルダー装置１の作動制御
上記ペーパー折畳保持部３０の適所には、図示しない第１センサ７１と第２センサ７２（図１３参照）が配置される。上記第１センサ７１は、使用者が上記ペーパー折畳保持部３０において形成された上記折畳ペーパーＰｃの取り出しを意図して該ペーパー折畳保持部３０の近傍へ手を差し出したとき、この手の接近を検知するものである。また、上記第２センサ７２は、上記ペーパー折畳保持部３０に上記折畳ペーパーＰｃが存在しているか否かを検知するものである。
【００５３】
この実施形態のペーパーホルダー装置１においては、上記第１センサ７１と第２センサ７２の検出信号に基づいて上記モータ６２の作動を制御することで、上記ペーパーＰａの送り出しから上記折畳ペーパーＰｃの形成、さらに上記ペーパー切断部４０によるペーパーＰａの切断に至る一連の動作が自動的に行われるように構成している。以下、これを具体的に説明する。
【００５４】
図１３に示すように、上記各センサ７１，７２の検出信号はそれぞれ制御器７０に入力される。この制御器７０では、上記各センサ７１，７２の検出信号に基づいて、「ペーパー送り動作」及び「ペーパー切断動作」を、予め設定した制御形態の下で実行すべく、上記モータ６２に制御信号を出力してその作動を制御する。
【００５５】
ここで、上記制御形態についての基本思想を説明する。
（ａ）  ペーパーホルダー装置１の作動（即ち、モータ６２の正転起動によるペーパーＰａの送り出し動作）は、上記第１センサ７１において人の手の接近の検知によって開始される。これは、人による直接的なスイッチ操作を排除して、使用上の利便性、容易性を確保するためである。
【００５６】
但し、第２センサ７２がペーパー折畳保持部３０に折畳ペーパーＰｃが存在しないことを検知したことを条件とする。これは、人の不必要な動作に基づくペーパーホルダー装置１の作動開始を回避するためである。
（ｂ）  第１センサ７１及び第２センサ７２の検知信号を受けて、モータ６２の正転起動によるペーパーＰａの送り出し動作が開始された後から、下記（ｅ）の動作が完了するまでの間において第１センサ７１から検知信号が出力されたとしても、この制御信号は制御上無視する。これは、ペーパーホルダー装置１の作動後における人の動作によって、該ペーパーホルダー装置１の作動に混乱を来たすのを回避し、ペーパーホルダー装置１の一連の作動を円滑に遂行させるためである。
（ｃ）  ペーパーＰａの送り出し長さ（即ち、折畳ペーパーＰｃの長さ）は、モータ６２によるペーパー送出部２０の駆動時間の設定によって調整する。この実施形態では、駆動時間の設定を制御器７０においてソフト的に行うが、他の実施形態では手動操作によるタイマー設定で行うことも可能である。
（ｄ）  ペーパーＰａの送り出し完了後におけるペーパーＰａの切断動作は、モータ６２の逆転起動によって行う。これは、ペーパーＰａの「送り出し」と「切断」は、同時に行われることはなく、必ず択一的に行われる動作であることから、上記モータ６２を「送り出し駆動」と「切断駆動」の双方に利用するものである。
（ｅ）  ペーパー切断部４０におけるペーパーＰａの切断後、モータ６２を正転駆動してペーパーＰａを所定量送り出す。これは、ペーパーＰａの切断縁Ｐｂ（図２参照）がペーパー切断部４０部分に止まっていると、次回の送り出し時に該切断縁Ｐｂがペーパー切断部４０部分に引っ掛かって適正な送り出しが阻害される恐れがあるため、予め切断縁Ｐｂをペーパー切断部４０部分より先へ送り出しておく趣旨である。この送り出し量（即ち、予送り量）は、モータ６２によるペーパー送出部２０の駆動時間の設定によって調整する。この実施形態では、駆動時間の設定を制御器７０においてソフト的に行うが、他の実施形態では手動操作によるタイマー設定で行うことも可能である。
Ｄ：ペーパーホルダー装置１の作動説明
上記「基本思想」に基づくペーパーホルダー装置１の実際の作動を、図１４に示すフローチャートを参照して説明する。
【００５７】
上記ペーパーホルダー装置１の使用に先立って、上記開閉カバー１０を開いてペーパーロールＰを上記ペーパーロール支持部１５にセットすると共に、該ペーパーロールＰからペーパーＰａを引き出して、これを上記送出ローラ２１の上側を通り、さらに上記回転刃ユニット４１の手前を通ってその下方側まで引き下げる。しかるのち、上記開閉カバー１０を閉じる。この開閉カバー１０の閉蓋によって、上記押えローラ２２は上記ペーパーＰａを挟んだ状態で上記送出ローラ２１に当接する。また、上記固定刃ユニット４２の固定刃５２は、上記ペーパーＰａを挟んで上記回転刃ユニット４１の上記回転軸４７に近接対向する。尚、この時点では、上記回転刃ユニット４１の回転刃４８は、該回転刃ユニット４１の背面側へ対向しており、その前面側には露出していない。
【００５８】
以上で、上記ペーパーホルダー装置１が使用可能状態とされる。
【００５９】
ペーパーホルダー装置１の使用に伴う上記モータ６２の制御は、ステップＳ１において第１センサ７１が初回の検知信号を出力し、さらにステップＳ２において第２センサ７２から検知信号が出力されていないことを条件に、開始される。
【００６０】
上記条件が満足されると、これを受けてモータ６２が正転起動される。このモータ６２の正転起動によって、上記駆動ユニット６０の駆動ギヤ６５が、図９の矢印ｈ方向へ揺動して上記「第１の位置」に設定され、上記ペーパー送出部２０側の送出駆動ギヤ５５に噛合する。従って、上記送出駆動ギヤ５５の回転に伴って上記送出ローラ２１が回転し、該送出ローラ２１とこれに対応する上記押えローラ２２の協働によって上記ペーパーロールＰからペーパーＰａが送り出される。
【００６１】
このペーパーＰａの送り出しは、所要送り出し量に対応して予め設定した設定時間「Ｔａ」の間だけ継続される（ステップＳ４）。この設定時間「Ｔａ」の経過によって、上記モータ６２の回転が停止される（ステップＳ５）が、この停止状態は予め設定した設定時間「Ｔｂ」の間だけ継続される。これは、上記モータ６２とか上記送出ローラ２１の慣性回転を考慮し、次に行われるモータ６２の逆転駆動の適正な開始を担保するためである。
【００６２】
尚、上記ペーパー送出部２０によるペーパーＰａの送り出し動作が行われている間に、上記ペーパー折畳保持部３０では上方から垂れ下がり状態で送り出されてくるペーパーＰａが順次ジグザグ状に折り畳まれて折畳ペーパーＰｃが形成される。
【００６３】
上記所定時間「Ｔｂ」の経過とともに、上記モータ６２が逆転駆動され（ステップＳ７）、上記駆動ユニット６０の駆動ギヤ６５が、図９の矢印ｇ方向へ揺動して上記「第２の位置」に設定され、上記中間ギヤ５７に噛合する。従って、該中間ギヤ５７に噛合する上記ペーパー切断部４０側の切断駆動ギヤ５６が回転駆動される。
【００６４】
この切断駆動ギヤ５６の回転に伴って上記回転刃ユニット４１の回転軸４７が回転し、これに取付けた上記回転刃４８が、上記固定刃ユニット４２の固定刃５２に対して刃幅方向の一端側から他端側に向けて順次接触することで、該回転刃４８と固定刃５２の間に挟まれた上記ペーパーＰａが切断され、上記ペーパー折畳保持部３０側の上記折畳ペーパーＰｃが上記ペーパーＰａから切り離される。
【００６５】
このペーパー切断部４０の切断動作は、設定時間「Ｔｃ」の間継続され（ステップＳ８）、該設定時間「Ｔｃ」の経過とともに上記モータ６２の回転が停止する（ステップＳ９）ことで終了する。
【００６６】
上記モータ６２の停止状態は、予め設定した設定時間「Ｔｄ」の間だけ継続される（ステップＳ１０）が、これは、上記モータ６２とか上記送出ローラ２１の慣性回転を考慮し、次に行われるモータ６２の正転駆動の適正な開始を担保するためである。
【００６７】
上記設定時間「Ｔｄ」の経過とともに、上記モータ６２の正転駆動が開始され（ステップＳ１１）、再度、上記ペーパー送出部２０側の送出ローラ２１が回転駆動され、上記ペーパーＰａの「予送り出し」が設定時間「Ｔｅ］の間だけ実行され、上記ペーパー切断部４０で切断されたペーパーＰａの切断縁Ｐｂが、該ペーパー切断部４０より下方へ所定長さだけ送り込まれる。
【００６８】
上記設定時間「Ｔｅ」の経過とともに、上記モータ６２の回転が停止され（ステップＳ１３）、これによって上記ペーパーホルダー装置１の一連の動作が終了し、該ペーパーホルダー装置１は次回の使用に備えた待機状態となる。
【００６９】
以上のように、上記ペーパーホルダー装置１は、人が折畳ペーパーＰｃの使用を望んで、手を上記ペーパー折畳保持部３０の近傍に位置させることで作動が開始され、所定時間後には自動的に上記付設部３に折畳ペーパーＰｃが形成されるものであることから、該折畳ペーパーＰｃを得るための人の動作あるいは操作は殆ど必要とせず、特に高齢者にとってその効果は極めて有用なものとなる。
【符号の説明】
【００７０】
１    ・・ペーパーホルダー装置
２    ・・ホルダー本体部
３    ・・付設部
４    ・・ケース体
１０  ・・開閉カバー
１２  ・・側部リブ
１５  ・・ペーパーロール支持部
１６  ・・支持ローラ
１７  ・・ガイド板
２０  ・・ペーパー送出部
２１  ・・送出ローラ
２２  ・・押えローラ
２３  ・・ローラ回転軸
３０  ・・ペーパー折畳保持部
３３  ・・ペーパー取出部
３４  ・・前規制壁
３５  ・・後規制壁
４０  ・・ペーパー切断部
４１  ・・回転刃ユニット
４２  ・・固定刃ユニット
４７  ・・回転軸
４８  ・・回転刃
５２  ・・固定刃
５３  ・・支持軸
５５  ・・送出駆動ギヤ
５６  ・・切断駆動ギヤ
５７  ・・中間ギヤ
６０  ・・駆動ユニット
６２  ・・モータ
６３  ・・ウォームギヤ
６４  ・・ウォームホイール
６５  ・・駆動ギヤ
６６  ・・揺動アーム
６７  ・・Ｏリング
６８  ・・支軸
６９  ・・支軸
７０  ・・制御器
７１  ・・第１センサ
７２  ・・第２センサ
Ｐ  ・・ペーパーロール
Ｐａ  ・・ペーパー
Ｐｂ  ・・ペーパー切断縁
【図１】
2012065957.tif 000003
【図２】
2012065957.tif 000004
【図３】
2012065957.tif 000005
【図４】
2012065957.tif 000006
【図５】
2012065957.tif 000007
【図６】
2012065957.tif 000008
【図７】
2012065957.tif 000009
【図８】
2012065957.tif 000010
【図９】
2012065957.tif 000011
【図１０】
2012065957.tif 000012
【図１１】
2012065957.tif 000013
【図１２】
2012065957.tif 000014
【図１３】
2012065957.tif 000015
【図１４】
2012065957.tif 000016